(57)【要約】【課題】  スプリンクラーヘッド付属品をスプリンクラーヘッドに装着するための取付工具であり、取付時の操作性や作業性を向上させたスプリンクラーヘッド付属品取付工具を提供する。【解決手段】  板状であり上面側にスプリンクラーヘッド付属品４を載置する本体１の下面側には棒状の把持棒２を接続可能な接続部１４を有しており、本体１の上面にはマグネット１２が設置され、スプリンクラーヘッド付属品４のマグネット１２上に配置される部位は鉄、ニッケル、コバルトのうち一つ以上を含む素材か、これら素材の中から一つ以上を含む合金から構成されているスプリンクラーヘッド付属品取付工具。【選択図】    図１
2017035454.tif 000002
【特許請求の範囲】
【請求項１】
スプリンクラーヘッドと接続される筒部と、筒部の下端に設置された皿状のプレート部を備えたスプリンクラーヘッド付属品に用いられる取付工具であって、
板状であり上面側にスプリンクラーヘッド付属品を載置する本体と、本体の下面側には棒状の把持棒を接続可能な接続部を有しており、
本体の上面にはマグネットが設置され、
マグネットの上方に配置されるスプリンクラーヘッド付属品の部位は鉄、ニッケル、コバルトのうち一つ以上を含む素材か、これら素材の中から一つ以上を含む合金から構成されていることを特徴とするスプリンクラーヘッド付属品取付工具。
【請求項２】
前記マグネットの外周径は前記プレート部の外周径よりも大きい請求項１記載のスプリンクラーヘッド付属品取付工具。
【請求項３】
前記マグネットは前記プレート部に接する位置に設置される請求項１または請求項２記載のスプリンクラーヘッド付属品取付工具。
【請求項４】
前記マグネットは前記プレート部に対してフラットに前記本体上に設置されている請求項１〜請求項３何れか１項記載のスプリンクラーヘッド付属品取付工具。
【請求項５】
前記本体の上面全体に前記マグネットが設置されている請求項１〜請求項４何れか１項記載のスプリンクラーヘッド付属品取付工具。
【請求項６】
前記マグネットはラバーマグネットである請求項１〜請求項５何れか１項記載のスプリンクラーヘッド付属品取付工具。
【請求項７】
前記本体と前記マグネットの間には弾性素材による層が設置されている請求項１〜請求項６何れか１項記載のスプリンクラーヘッド付属品取付工具。
【請求項８】
前記プレート部の縁は前記筒部の方向に屈曲している請求項１〜請求項７何れか１項記載のスプリンクラーヘッド付属品取付工具。
【請求項９】
前記本体の外側にはプレート部の縁よりも低い位置に枠が設置されている請求項８記載のスプリンクラーヘッド付属品取付工具。
【請求項１０】
前記本体の外側に設置された枠の内周径は前記プレート部の外周径よりも大きい請求項１〜請求項９何れか１項記載のスプリンクラーヘッド付属品取付工具。
【請求項１１】
前記枠は前記プレート部の全周を覆う請求項１〜請求項１０何れか１項記載のスプリンクラーヘッド付属品取付工具。
【請求項１２】
前記スプリンクラーヘッド付属品は、前記筒部の下端に複数の脚が形成され、前記脚の先端と前記プレート部とは低融点合金にて接合されており、前記脚の先端と前記筒部の間にはフランジ部が設置されており、前記脚が前記マグネット上に配置されている請求項１〜請求項１１何れか１項記載のスプリンクラーヘッド付属品取付工具。
【請求項１３】
前記スプリンクラーヘッド付属品は、前記プレート部がリング状であり、前記プレート部の内周縁から上方に延出した前記筒部を備え、前記筒部は前記スプリンクラーヘッドの外周部に設置された支持部材に係合されており、前記プレート部が前記マグネット上に配置されている請求項１〜請求項１１何れか１項記載のスプリンクラーヘッド付属品取付工具。
【請求項１４】
前記脚の先端は前記プレート部の平面と平行に屈曲されており、前記プレート部の縁に向かって伸びている請求項１２記載のスプリンクラーヘッド付属品取付工具。
【請求項１５】
前記本体の上面側には前記筒部に対応した穴を有する請求項１３記載のスプリンクラーヘッド付属品取付工具。
【発明の詳細な説明】
【技術分野】
【０００１】
本発明は、スプリンクラーヘッドの付属品であるスプリンクラーヘッドカバーやシーリングプレート、エスカッションをスプリンクラーヘッドに取付けるための取付工具に関するものである。
【背景技術】
【０００２】
スプリンクラーヘッドは、建物内の天井面や壁面に設置され、一端には給水源に続いた配管と接続可能なノズルを有し、他端には感熱作動部が設けられている。平時において感熱作動部はノズルを閉止する弁体を支持している。
【０００３】
上記スプリンクラーヘッドの一例として、天井面や壁面に埋め込まれた状態で設置され、スプリンクラーヘッドをスプリンクラーヘッドカバーで覆い隠したコンシールド型スプリンクラーヘッドがある。
【０００４】
図５に示すコンシールド型スプリンクラーヘッドは、スプリンクラーヘッド６０と、該スプリンクラーヘッドに装着するスプリンクラーヘッドカバー６１とを備える。そのスプリンクラーヘッド６０は天井裏に設置されており、平時においてスプリンクラーヘッド６０はスプリンクラーヘッドカバー６１によって覆い隠され、室内からはカバープレート６２しか見えない構造になっている。
【０００５】
上記のスプリンクラーヘッドカバー６１は次のような手順でスプリンクラーヘッド６０に取付けられる。
【０００６】
天井裏の配管Ａにはスプリンクラーヘッド６０が接続されており、スプリンクラーヘッド６０は天井ボード６３に穿設された穴６４から先端部分のみが露出している。該スプリンクラーヘッド６０にスプリンクラーヘッドカバー６１を取付ける。スプリンクラーヘッドカバー６１の筒部６５をスプリンクラーヘッド６０の外部に設置された筒状のサポートカップ６６内に挿通させる。サポートカップ６６の側面には螺旋溝６７が刻設されており、スプリンクラーヘッドカバー６１の筒部６５には螺旋溝６７に係合可能な爪６８が形成されている。爪６８は弾性変形が可能であり、筒部６５を配管Ａ側に移動させると爪６８が弾性変形して螺旋溝６７を乗り越えて筒部６５が配管Ａ側に移動可能である。
【０００７】
筒部６５の下端に形成されたフランジ６９を天井ボード６３の下面に向けてスプリンクラーヘッドカバー６１を上方に押し上げ移動させると爪６８が螺旋溝６７に係合される。この状態でフランジ６９と天井ボード６３の間に隙間が無ければ取付けが完了する。隙間がある場合にはスプリンクラーヘッドカバー６１をフランジ６９が天井ボード６３の下面に接触するまで回転させて取付を完了する。
【０００８】
以上のスプリンクラーヘッドカバーの取り付け作業を行う際に、スプリンクラーヘッドカバーの取付工具が用いられる（例えば、特許文献１参照。）。スプリンクラーヘッドカバーを使用することで、作業者が脚立に上がらずにスプリンクラーヘッドカバーの取付作業を行うことができるとともに、スプリンクラーヘッドカバーを直接作業者が持たずに取付工具を使用することでカバープレートに軍手の汚れが付着することを防止できる。
【先行技術文献】
【特許文献】
【０００９】
【特許文献１】特開２００３−３１１６４３号公報
【特許文献２】特開２０１１−１２０６９９号公報
【発明の概要】
【発明が解決しようとする課題】
【００１０】
特許文献１のスプリンクラーヘッド付属品取付工具は、保持具と操作棒を有しており、操作棒の一端側に保持具が設置され、他端側を作業者が手で持って操作する。保持具の周縁に環状壁が設置され、環状壁の先端にはリブが形成されている。そのリブにスプリンクラーヘッド付属品であるシーリングプレートを係合させて操作棒を操作してシーリングプレートを天井に設置されたスプリンクラーヘッドに取付ける。しかしながら、操作棒が長い程、保持具の微細な位置調整が困難となり誤って環状壁の先端部にて天井面を傷付けてしまうおそれがあり、作業者は慎重に作業を行わなければならなかった。
【００１１】
また、特許文献２のスプリンクラーヘッド付属品着脱工具は、本体の横からスプリンクラーヘッド付属品を抜き差しする構成である。そのため天井面に設置されているスプリンクラーヘッドにスプリンクラーヘッド付属品を取付けた後、スプリンクラーヘッド付属品を本体から抜くときに、スプリンクラーヘッド付属品着脱工具を天井に擦らないように注意を払って作業を行っていた。
【００１２】
そこで本発明では、上記問題に鑑み、スプリンクラーヘッド付属品をスプリンクラーヘッドに装着するための取付工具であり、取付時の操作性や作業性を向上させたスプリンクラーヘッド付属品取付工具を提供することを目的としている。
【課題を解決するための手段】
【００１３】
上記の目的を達成するために、本発明は以下のスプリンクラーヘッド付属品取付工具を提供する。
すなわち、スプリンクラーヘッドと接続される筒部と、筒部の下端に設置された皿状のプレート部を備えたスプリンクラーヘッド付属品に用いられる取付工具であって、板状であり上面側にスプリンクラーヘッド付属品を載置する本体と、本体の下面側には棒状の把持棒を接続可能な接続部を有しており、本体の上面にはマグネットが設置され、マグネットの上方に配置されるスプリンクラーヘッド付属品の部位は鉄、ニッケル、コバルトのうち一つ以上を含む素材か、これら素材の中から一つ以上を含む合金から構成されているスプリンクラーヘッド付属品取付工具（以下、取付工具という）である。
【００１４】
特許文献１に記載された従来品においては環状壁に形成されたリブによりスプリンクラーヘッド付属品を本体上に係合していたが、本発明ではスプリンクラーヘッド付属品を本体上に設置したマグネットによって吸着保持している。これにより従来のように環状壁の先端部にて天井面を傷付けることを防止できる。また従来品においては、環状壁のリブとシーリングプレートの縁を係合させていたので、環状壁の内側の内径や高さ寸法によって対応するスプリンクラーヘッド付属品の形状が限定されていたが、マグネットを用いることで多種類の形状のスプリンクラーヘッド付属品に対応させることができる。
【００１５】
さらにマグネットによりスプリンクラーヘッド付属品を本体上に保持可能としたことで、本体にスプリンクラーヘッド付属品を保持させた状態で取付工具を持ち歩いたり、傾けたりした場合にも磁力によってスプリンクラーヘッド付属品が本体から脱落することを防止できる。
【００１６】
マグネットは接着剤等により本体に固定設置されており、スプリンクラーヘッド付属品とマグネットとの接触部分による摩擦抵抗とマグネットによる吸着力によって取付工具とスプリンクラーヘッド付属品とを供回りさせることができる。その際、マグネットの外側に枠を設置しておくと、接着剤による接合力に加えて枠とマグネットが係合保持されマグネットが本体上で空回りすることが防止できる。
【００１７】
上記構成の本発明において、本体とマグネットの間に弾性素材による層を設置すると、スプリンクラーヘッド付属品を天井に設置されたスプリンクラーヘッドに取付ける際にスプリンクラーヘッド付属品が傾いた状態でスプリンクラーヘッドと係合しようとしたときに弾性素材によって傾きを吸収して正常な係合状態にすることができる。
【００１８】
上記構成の本発明において、本体の上面側に穴を形成しておくと穴にスプリンクラーヘッドを挿通させることができる。より具体的に説明すると、天井面から室内側に突出して設置されたフラッシュ型スプリンクラーヘッドやリセスト型スプリンクラーヘッドにスプリンクラーヘッド付属品を取付ける際に、穴によってスプリンクラーヘッドと取付工具との干渉を避けることができる。
【００１９】
また、マグネットをプレート部にダイレクトに接する位置に設置させると、マグネットによりプレート部を強固に保持することができる。その際、本体上に設置されたマグネットの縁や、マグネットと本体の段差によってプレート部に傷が付くことを防止するために、マグネットの外周径をプレート部の外周径よりも大きく構成したり、あるいはマグネットをプレート部に対して段差無くフラットに本体上に設置して構成することができる。
【発明の効果】
【００２０】
本発明によれば、マグネットによりスプリンクラーヘッド付属品を本体上に保持したことで、スプリンクラーヘッド付属品を天井に設置されたスプリンクラーヘッドに取付る際に、従来品のような環状壁を有していないので取付工具によって天井に傷を付けることを防止可能である。また、スプリンクラーヘッド付属品の形状・大きさの影響を受けずに多種類のスプリンクラーヘッド付属品に対応させることができる。
【００２１】
また、本体にスプリンクラーヘッド付属品を保持させた状態で取付工具を持ち歩いたり、傾けたりした場合にも磁力によってスプリンクラーヘッド付属品は本体上に保持され、脱落を防止できる。
【００２２】
さらに弾性素材によってスプリンクラーヘッドの中心軸に対するスプリンクラーヘッド付属品の傾きを吸収することができ、スプリンクラーヘッドやスプリンクラーヘッド付属品の変形や破損を防止することができる。
【００２３】
これらによって作業者の負担が軽減され、スプリンクラーヘッド付属品の取付作業の作業性や、取付工具の操作性を向上することができる。
【図面の簡単な説明】
【００２４】
【図１】第１実施形態の取付工具の断面図。
【図２】図１の取付工具によりスプリンクラーヘッド付属品をスプリンクラーヘッドに取付ける状態の断面図。
【図３】第２実施形態の取付工具の断面図。
【図４】図３の取付工具によりスプリンクラーヘッド付属品をスプリンクラーヘッドに取付ける状態の断面図。
【図５】スプリンクラーヘッド付属品とスプリンクラーヘッドの断面図。
【発明を実施するための最良の形態】
【００２５】
第１実施形態（図１〜図２）
第１実施形態の取付工具１００は、本体１と、本体１に接続される把持棒２を備えている。これらは軽量な材質である樹脂やアルミニウム合金等によって形成すると取付作業の負担が軽減する。
【００２６】
本体１は円盤形状をしており、図中において上面１１がスプリンクラーヘッド付属品であるスプリンクラーヘッドカバー４を載置する支持面となっている。上面１１には薄板状のマグネット１２が設置されている。マグネット１２はラバーマグネットであり、容易に変形可能である。マグネット１２は上面１１の全面に設置されている。これによりマグネット１２を後述するカバープレート４１に対してフラットに設置でき、カバープレート４１の表面に傷が付くことを防止可能である。
【００２７】
マグネット１２と上面１１との間には弾性素材１３が介在している。弾性素材１３はスポンジやウレタン等の柔軟な素材であり、ある程度の厚みを有しており押圧すると容易に弾性変形できる素材である。
【００２８】
マグネット１２と弾性素材１３は接着剤により本体１の上面１１に固定設置される。あるいは、予め弾性素材１３とマグネット１２が接合済みのものを上面１１に固定設置してもよい。
【００２９】
本体１の下面側には把持棒２が接続可能な穴１４が形成されている。本体１には、側面から穴１４に貫通する牝ネジ１５が設置されており、穴１４に棒状の把持棒２の一端を挿通させ、牝ネジ１５にボルト１６を螺入させる。するとボルト１６の先端によって把持棒２が押圧され、本体１と把持棒２が固定接続される。
【００３０】
把持棒２は細長い棒状をしており、内部は中空となっている。前述のとおり把持棒２の一端側は本体１の穴１４と接続され、他端側は作業者が手で持って操作する部分となる。本実施形態で示す把持棒２以外に、先端に牡ネジが形成された棒（図示しない）を接続可能とするために、本体１の下面側に牝ネジ１７を形成することも可能である。
【００３１】
把持棒２は上記以外にも、入れ子構造をした伸縮ポールを用いることや、複数の棒をつなぎ合わせて用いることも可能である。
【００３２】
プレート部と筒部を備えたスプリンクラーヘッド付属品であるスプリンクラーヘッドカバー４は、プレート部であるカバープレート４１と、筒部であるリテーナー４２から構成される。カバープレート４１は皿状であり薄板の銅または銅合金から形成され、室内側に配置される下面側は塗装やメッキ等の表面処理が施されている。裏面側はリテーナー４２との接続面となっている。カバープレート４１の周縁部には緩やかな傾斜が付されており、縁がリテーナー４２の方向に屈曲している。
【００３３】
リテーナー４２は円筒形状をしており、素材は鉄鋼が用いられている。リテーナー４２はマグネット１２に吸着可能であり、後述する接合面４４がカバープレート４１を介してマグネット１２と吸着する。リテーナー４２の表面には銅メッキが施されている。
【００３４】
リテーナー４２の下端にはカバープレート４１との接続部である複数の脚４３が延出して設置されている。脚４３の先端はカバープレート４１の平面と平行に折り曲げられ、カバープレート４１との接合面４４となっている。接合面４４は低融点合金４５によってカバープレート４１と接合される。また、接合面４４はカバープレート４１の縁に向かって伸びている。
【００３５】
リテーナー４２の上部には外周側に突き出た爪４６が複数設置されている。またリテーナー４２と接合面４４の間には外方に拡張されたフランジ４７が形成されている。フランジ４７は天井ボードＣとの接触面となっている。フランジ４７とカバープレート４１の縁の間には隙間が形成されている。
【００３６】
次に、第１実施形態の取付工具１００を用いてスプリンクラーヘッドカバー４をスプリンクラーヘッド３に取付ける手順を説明する。
【００３７】
図１に示すようにスプリンクラーヘッド３は二点鎖線で描かれた天井裏の配管に接続されており、下部が天井ボードＣの穴Ｈを通過して室内側に配置されている。スプリンクラーヘッドカバー４はスプリンクラーヘッド３のサポートカップ３１と接続される。
【００３８】
先ず、スプリンクラーヘッドカバー４を取付工具１００の本体１に載置する。スプリンクラーヘッドカバー４のカバープレート４１が、本体１に接して載置された状態となり、カバープレート４１を介して接合面４４とマグネット１２が吸着している。
【００３９】
次に把持棒２の他端側を手で持ってスプリンクラーヘッドカバー４のリテーナー４２をスプリンクラーヘッド３の近傍に移動させる。続いてリテーナー４２の（図示しない）中心軸とスプリンクラーヘッド３の（図示しない）中心軸が同軸となるように位置を調整する。
【００４０】
把持棒２を操作してスプリンクラーヘッドカバー４をスプリンクラーヘッド３の方向（図中上方）に移動させる。このときスプリンクラーヘッド３の中心軸に対して把持棒２の軸が傾いているとリテーナー４２の筒部がスプリンクラーヘッド３のサポートカップ３１に挿入しにくいが、弾性素材１３が弾性変形することで傾きを吸収してサポートカップ３１にリテーナー４２をスムーズに挿入できるようにしている。
【００４１】
さらにスプリンクラーヘッドカバー４をスプリンクラーヘッド３の方向に移動させると、リテーナー２４の外周側に突き出た爪４６がサポートカップ３１内の螺旋溝３２を乗り越えて螺旋溝３２と係合する。引き続きスプリンクラーヘッドカバー４を上方に移動させ、フランジ４７を天井ボードＣの付近まで移動させる。
【００４２】
次に、フランジ４７を天井ボードＣの下面と接触させるために、把持棒２を回転させて爪４６を螺旋溝３２に沿って移動させる。このとき把持棒２を上方に押圧しながら回転操作を行うことで、カバープレート４１とマグネット１２の摩擦抵抗が高まり、この摩擦抵抗とマグネット１２による吸着力によってスプリンクラーヘッドカバー４と取付工具１００を供回りさせることができる。
【００４３】
フランジ４７が天井ボードＣの下面と接触したら、取付工具１００を下方に移動させてカバープレート４１から本体１を引き離して取付作業を完了する。
【００４４】
第１実施形態の取付工具１００は、マグネット１２によりスプリンクラーヘッド付属品を本体１に保持可能とし、従来品のような環状壁を有していないのでカバープレート４１の大きさや外形によらず多種類の形状のスプリンクラーヘッド付属品に用いることができる。
【００４５】
第２実施形態（図３〜図４）
第２実施形態の取付工具２００は、本体１の上面側に穴を有する構造である。以下において第１実施形態と構造が同じ部分には同符号を付して詳細な説明は省略する。
【００４６】
本体１の上面１１の中心には穴１８が形成されている。穴１８の内径はスプリンクラーヘッド５が収容可能な大きさとなっている。穴１８は後述するエスカッション５１の筒部５３に対応した位置に設けられており、穴１８の中心軸と筒部５３の中心軸は略同軸である。穴１８と把持棒２が接続される穴１４の間は隔壁１９により仕切られている。
【００４７】
第２実施形態の取付工具２００に使用されるスプリンクラーヘッド付属品はエスカッション５１であり、リング状のプレート部５２と筒部５３から構成される。エスカッション５１の素材として鉄鋼が用いられており、塗装やメッキ等の表面処理が施されている。
【００４８】
プレート部５２の内周縁からは、筒部５３が上方に延出されており、プレート部５２の外周縁が天井ボードＣと接触する。筒部５３はスプリンクラーヘッド５の外周部に設置された支持部材５４に係合される。
【００４９】
支持部材５４はリング状をしており、内周及び外周から上方に延出された筒部５４Ａ、５４Ｂが形成されている。内周側の筒部５４Ａはスプリンクラーヘッド５と接続され、外周側の筒部５４Ｂはエスカッション５１の筒部５３と接続する。
【００５０】
次に、第２実施形態の取付工具２００を用いてエスカッション５１をスプリンクラーヘッド５に取付ける手順を説明する。
【００５１】
図３に示すようにスプリンクラーヘッド５は二点鎖線で描かれた天井裏の配管に接続されており、デフレクターＤが設置された下端側が天井ボードＣの穴Ｈを通過して室内側に突出して配置されている。エスカッション５１はスプリンクラーヘッド５に予め設置されている支持部材５４と接続される。
【００５２】
エスカッション５１を取付工具２００の本体１に載置する。その際プレート部５２の穴と本体１の穴１８の中心が同軸となるように載置する。エスカッション５１の素材は鉄鋼なのでマグネット１２と吸着される。図に示すようにプレート部５２の外周径に対してマグネット１２の外周径の方が大きく形成されている。
【００５３】
続いて、把持棒２を操作してエスカッション５をスプリンクラーヘッド５の方向に移動させて筒部５３を支持部材５４の筒部５４Ｂに挿通する。このときスプリンクラーヘッド５のデフレクターＤは穴１８に収容され、本体１とスプリンクラーヘッド５との干渉を避けることができる。
【００５４】
エスカッション５のプレート部５２が天井ボードＣの下面と接触したら取付工具２００を下方に移動させてプレート部５２から本体１を引き離して取付作業を完了する。
【００５５】
尚、第２実施形態の取付工具２００は第１実施形態にて説明したスプリンクラーヘッドカバー４にも適用可能である。
【００５６】
上記の２つの実施形態の変形例として、マグネット１２の外側に枠を設置することも可能である。より具体的に説明すると、図１および図３に破線で示すようにマグネット１２の外縁を囲むように本体１の外側に枠５８を設置することができる。また枠５８の内周径をカバープレート４１やプレート部５２の外周径よりも大きく構成したり、枠５８をカバープレート４１やプレート部５２の全周を覆うように構成できる。
【００５７】
さらに、マグネット１２の外形を多角形状や円周の１箇所以上を直線により切欠いた形状（例えば長丸や半円等）にすると、取付工具１００（２００）とスプリンクラーヘッド付属品を供回りさせる際に、枠５８によってマグネット１２を本体１に係合保持することができる。
【００５８】
枠５８の高さ寸法はマグネット１２の上面と略同じ高さか、それよりも高くすることができる。その場合、枠５８の高さはスプリンクラーヘッドカバー４をマグネット１２の上に載置した状態におけるカバープレート４１の下面から外縁までの高さ寸法を超えない程度、つまりカバープレート４１の縁よりも低くなるように設置する。これによりスプリンクラーヘッドカバー４をスプリンクラーヘッド３に取付する際に、縁５８によって天井ボードＣに傷が付くことを防止できる。
【００５９】
第２実施形態においても同様に、枠５８の高さはエスカッション５１をマグネット１２に載置した状態のプレート部５２の下面から外縁までの高さを超えない程度にすることが好ましい。
【符号の説明】
【００６０】
１００、２００  スプリンクラーヘッド付属品取付工具  
１  本体  
２  把持棒  
３、５  スプリンクラーヘッド  
４  スプリンクラーヘッドカバー（スプリンクラーヘッド付属品）  
１１  上面  
１２  マグネット  
１３  弾性素材  
１４  穴（接続部）  
１７  牝ネジ（接続部）  
１８  穴  
４１  カバープレート（プレート部）  
４２  リテーナー（筒部）  
５１  エスカッション（スプリンクラーヘッド付属品）  
５２  プレート部  
５３  筒部  
５８  枠  
【図１】
2017035454.tif 000003
【図２】
2017035454.tif 000004
【図３】
2017035454.tif 000005
【図４】
2017035454.tif 000006
【図５】
2017035454.tif 000007